(57)【要約】      （修正有）【課題】被撮影者の背丈に応じて座席の高さを容易に変更できる写真撮影装置を提供する。【解決手段】写真撮影装置１０は筐体２０と、撮影装置１２と、キャスタ３７を有する座席装置３５とを備える。座席装置３５は床面１上を走行可能となっており、床面１からの高さが異なる複数の座部３６ａ、３６ｂ、３６ｃを有する。床面１に基準マークを設け、座席装置３５に各々の座部３６ａ、３６ｂ、３６ｃに対応する位置決めマークを設け、位置決めマークを基準マークに合わせて座席装置３５の位置決めを行う。【選択図】図１
2019066693.tif 000002
【特許請求の範囲】
【請求項１】
床面をもつ撮影装置において、
少なくとも一側面をもつ筐体と、
前記筐体の一側面に設けられた撮影装置と、
前記筐体内の床面上に配置された座席装置とを備え、
前記座席装置は前記床面上を走行可能となっており、かつ前記床面からの高さが異なる複数の座部を有する、撮影装置。
【請求項２】
前記座席装置は前記床面上を走行するキャスタを有する、請求項１記載の撮影装置。
【請求項３】
前記床面に基準マークを設け、前記座席装置に各々の座部に対応する位置決めマークを設け、前記位置決めマークを前記基準マークに合わせて前記座席装置の位置決めを行う、請求項１または２記載の撮影装置。
【請求項４】
前記座席装置の少なくともいずれかの座部上に、追加調整板を設けた、請求項１乃至３のいずれか記載の撮影装置。
【発明の詳細な説明】
【技術分野】
【０００１】
本発明は、被撮影者を撮影して証明写真を作製する撮影装置に関する。
【背景技術】
【０００２】
従来より、被撮影者を撮影して証明写真を作製する撮影装置が知られている。
【０００３】
このような撮影装置は、筐体と、筐体内に設けられたカメラとを有する。この場合、筐体内に被撮影者が入り、カメラにより被撮影者の顔画像を入手し、この入手した顔画像により証明写真を作製している。
【０００４】
ところで、筐体内に、車いすに乗った被撮影者が入り、車いすに乗った被撮影者をカメラにより撮影するバリアフリー型の撮影装置も開発されている。
【０００５】
このようなバリアフリー型の撮影装置において、健常者の被撮影者が筐体内に入って撮影することがある。このような場合、被撮影者用に座席を準備して筐体内に持ち込んでいるが、被撮影者の背丈に応じて簡単に座席の高さを変えることができないのが実情である。
【先行技術文献】
【特許文献】
【０００６】
【特許文献１】特開２００３−２０５３０２号公報
【発明の概要】
【発明が解決しようとする課題】
【０００７】
本発明はこのような点を考慮してなされたものであり、バリアフリー型の撮影装置であって健常者の被撮影者の背丈に応じて座席の高さを容易に変更することができる撮影装置を提供することを目的とする。
【課題を解決するための手段】
【０００８】
本発明は、床面をもつ撮影装置において、少なくとも一側面をもつ筐体と、前記筐体の一側面に設けられた撮影装置と、前記筐体内の床面上に配置された座席装置とを備え、前記座席装置は前記床面上を走行可能となっており、かつ前記床面からの高さが異なる複数の座部を有する、撮影装置である。
【０００９】
本発明は、前記座席装置は前記床面上を走行するキャスタを有する、撮影装置である。
【００１０】
本発明は、前記床面に基準マークを設け、前記座席装置に各々の座部に対応する位置決めマークを設け、前記位置決めマークを前記基準マークに合わせて前記座席装置の位置決めを行う、撮影装置である。
【００１１】
本発明は、前記座席装置の少なくともいずれかの座部上に、追加調整板を設けた、撮影装置である。
【発明の効果】
【００１２】
以上のように本発明によれば、バリアフリー型の撮影装置であって、健常者の被撮影者の背丈に応じて座席の高さを容易に変えることができる撮影装置を提供することができる。
【図面の簡単な説明】
【００１３】
【図１】図１は本発明の実施の形態による写真撮影装置を示す側面図。
【図２】図２は座席装置を示す斜視図。
【図３】図３は写真撮影装置の機能構成を示すブロック図。
【図４】図４は写真撮影装置を示す上面図。
【図５】図５は写真撮影装置の変形例を示す側面図。
【図６】図６は座席装置を示す斜視図。
【図７】図７は写真撮影装置を示す上面図。
【図８】図８は写真撮影装置の他の変形例を示す座席装置の斜視図。
【図９】図９は座席装置を示す上面図。
【図１０】図１０は座席装置を示す上面図。
【図１１】図１１は写真撮影装置の他の変形例を示す座席装置の側面図。
【発明を実施するための形態】
【００１４】
＜発明の実施の形態＞
以下、図面を参照して本発明の実施の形態について説明する。  
図１乃至図４は本発明による撮影装置の実施の形態を示す図である。
【００１５】
図１乃至図４に示すように、撮影装置１０は、被撮影者Ｐを撮影して運転免許証、社員証等の証明写真を作製するものであり、床面１上に配置される。
【００１６】
このような写真撮影装置（単に撮影装置ともいう）１０は筐体２０と、筐体２０内を撮影空間２０Ａと収納空間２０Ｂとに区画する回動自在の開閉扉２１とを備えている。そして開閉扉２１は、ヒンジを介して回動可能となっており、開閉扉２１は筐体２０内を撮影空間２０Ａと収納空間２０Ｂとに明確に区画する閉位置と、この閉位置から撮影空間２０Ａ側へ回動する開位置とを取ることができる。また筐体２０は前面部２１Ａと、開閉自在の後面部２２と、一対の側面部２３Ａ、２３Ｂと、天井部２５とを有する。
【００１７】
また筐体２０の撮影空間２０Ａ内には、被撮影者Ｐが座る後述する座席装置３５が設けられている。
【００１８】
さらに筐体２０の収納空間２０Ｂ内には、筐体２０の前面部２１Ａの内壁２１ａに沿って、下方から上方へ向かって順に、メディア収納ボックス１８と、プリンタ１７と、電源ユニット１９と、カメラ（撮影装置）１２と、制御部１１とが設けられている。このうちプリンタ１７はカメラ１２で撮影した写真をメディアにプリントするものであり、メディア収納ボックス１８はプリンタ１７で使用するメディアがなくなった場合に補充する補充用メディアを収納するものである。また制御部１１は、後述のように写真撮影装置１０全体を制御するものである。
【００１９】
さらに筐体２０の収納空間２０Ｂ内には開閉扉２１の収納空間２０Ｂ側の面に、下方から上方へ向かって順に、スピーカ３２と、表示機能および操作機能をもったモニタ１４と、検知センサ１３と、課金設備３３と、ストロボユニットＳとが設けられている。
【００２０】
このうちモニタ１４は被撮影者Ｐに対して撮影した写真を表示する機能と、被撮影者Ｐが必要な操作を実行する操作機能とを有する。
【００２１】
さらに課金設備３３は、開閉扉２１の収納空間２１Ｂ側の面のうち、ヒンジ側に寄った位置に取付けられている。写真撮影装置１０の稼働時間が一定の時間を経過すると、作業者が開閉扉２１を開とし、開閉扉２１の収納空間２１Ｂ側の面に設けられた課金設備３３を開放し、課金設備３３内に収納されていた現金を回収する。
【００２２】
なお、筐体２０の開閉扉２１に対向する後面部２２は開閉自在となっており、入手した画像から顔画像のみを切り抜くクロマキー処理用の背景領域を含むロールスクリーンを有する。この場合、ロールスクリーンからなるクロマキー処理用の背景領域としては緑色の背景領域を用いることができる。この後面部２２は、常時は巻き上げられて開状態となっており、筐体２０内に被撮影者Ｐが入った際後述する制御部１１により駆動されて巻き戻されて閉状態となる。
【００２３】
さらに筐体２０内には、記憶部１６、およびＩ／Ｏ（Input/Output）ユニット３１が内蔵されている。
【００２４】
ところで写真撮影装置１０の筐体２０は、床面１上に直接設置され、このため筐体２０の撮影空間２０Ａ内には車いすに乗った被撮影者Ｐが車いすのまま入ることができ、このため写真撮影装置１０はバリアフリー型の写真撮影装置となっている。また筐体２０の撮影空間２０Ａ内には健常者の被撮影者Ｐが座るため、座席装置３５が設置されている。この座席装置３５は床面１上を走行してロールスクリーンを含む後面部２２から筐体２０の撮影空間２０Ａ内に入ることができる。
【００２５】
このため座席装置３５は図１乃至図４に示すように、床面１上を走行するキャスタ３７を有する。また座席装置３５は、床面１からの高さが異なる複数、例えば３つの座部３６ａ、３６ｂ、３６ｃを有し、座部３６ｃの後方に隣接して被撮影者Ｐ用の背もたれ３８が設けられている。
【００２６】
また筐体２０の撮影空間２０Ａ内において、床面１上に、開閉扉２１の中央部と後面部２２の中央部との間を結ぶ直線マークＬ１が表示されている。そしてキャスタ３７を有する座席装置３５の座部３６ａ、３６ｂ、３６ｃはこの直線マークＬ１の方向に並び、かつ座席装置３５はこの直線マークＬ１に沿って、かつ座席装置３５の長手方向中心３５ａが直線マークＬ１上にくるようにして床面１上を走行する（図２および図４参照）。
【００２７】
また、床面１上には、直線マークＬ１に直交して基準マーク４０が設けられている。座席装置３５の各座部３６ａ、３６ｂ、３６ｃの床面１からの高さは、例えば３０ｃｍ、４５ｃｍ、６０ｃｍとなっている。
【００２８】
被撮影者Ｐが比較的小さな背丈を有する場合、被撮影者Ｐは座部３６ｃに座ることになり、被撮影者Ｐが比較的大きな背丈を有する場合、被撮影者Ｐは座部３６ａに座ることになる。
【００２９】
この場合、被撮影者Ｐが座る座部３６ａ、３６ｂ、３６ｃに応じて、カメラ１２の焦点を被撮影者Ｐに適切に合わせることができるよう、座部３６ａ、３６ｂ、３６ｃの側面には基準マーク４０に合わせて位置決めマーク４１が設けられている。
【００３０】
例えば被撮影者Ｐが座部３６ｃに座る場合は、座席装置３５を直線マークＬ１に沿って走行させて停止させ、座部３６ｃの位置決めマーク４１を基準マーク４０に合わせる。このようにして被撮影者Ｐにカメラの焦点を合わせ、被撮影者Ｐを適切に撮影することができる。
【００３１】
なお、被撮影者Ｐが、例えば座部３６ａと座部３６ｂとの間の高さに座ることが適切な背丈を有する場合、座部３６ａ上に追加調整板３９を載置してもよい。この場合は、座部３６ａ上の追加調整板３９に被撮影者Ｐが座ることになる。
【００３２】
次に写真撮影装置１０の各構成部分について図３により更に以下述べる。  
図３に示すように、制御部１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。
【００３３】
カメラ１２は光学レンズ、ＣＣＤ（Charge Coupled Device）等の光学センサ、Ａ／Ｄ（Analog/Digital）変換部等から構成され、制御部１１により制御され撮影時には撮像レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１の画像合成部１１ａに出力する。カメラ１２は、開閉扉２１の窓２１ａを介して被撮影者Ｐを撮影する。
【００３４】
検知センサ１３は、証明写真作製システムの筐体２０内に被撮影者Ｐが入室したことを検知する光学センサ等であり、その検知信号を制御部１１に出力する。
【００３５】
モニタ１４は、ＬＣＤ（Liquid Crystal Display）等を備えて構成され、制御部１１からの制御信号に従って、撮影手順を説明するガイド画面、写真種類を選択するための選択画面等の各種操作画面や、カメラ１２により撮影された被撮影者Ｐの顔画像等を表示する。
【００３６】
またモニタ１４は更にタッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを備え、操作されたキーに対応する操作信号を制御部１１に出力する。
【００３７】
記憶部１６は、システムプログラムの他、顔画像撮影処理プログラム、画像処理プログラム等の各種処理プログラム及び各プログラムで処理されたデータ等を記憶する。
【００３８】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３９】
Ｉ／Ｏユニット３１は、制御部１１と、スピーカ３２、課金設備３３、ストロボユニットＳとの間で情報のやり取りを仲介するインターフェイスであり、制御部１１からの制御信号をスピーカ３２、課金設備３３、ストロボユニットＳに送信するとともに、スピーカ３２、課金設備３３、ストロボユニットＳからの信号等を制御部１１に出力する。
【００４０】
スピーカ３２は、Ｉ／Ｏユニット３１を介して制御部１１から入力されるガイド用アナウンスの音声信号を出力する。
【００４１】
課金設備３３は、硬貨や紙幣の入金口、釣銭の返金口等を備えた金銭登録機である。課金設備３３は、入金口から入金された金額を検出して釣銭の金額を算出し、算出された釣銭金額分の硬貨又は紙幣を返金口に排出して料金精算を行う。
【００４２】
またストロボユニットＳは、制御部１１から指示された発光タイミング、発光量で発光を行う。
【００４３】
次にこのような構成からなる本実施の形態の作用について説明する。  
まず車いすに乗った被撮影者Ｐは筐体２０の撮影空間２０Ａ内に後面部２２側から入り、モニタ１４に対して必要な操作を行い、課金設備３３にお金を投入する。このようにして所定のステップを経てカメラ１２による撮影を行って、プリンタ１７により写真印刷物を作製することができる。
【００４４】
次に健常者の被撮影者Ｐは、床面１上に座席装置３５をキャスタ３７を介して走行させ、後面部２２から筐体２０の撮影空間２０Ａ内に持込む。次に被撮影者Ｐがどの座部３６ａ、３６ｂ、３６ｃに座るかを予め決めておき、撮影空間２０Ａ内で座席装置３５を走行させる。
【００４５】
例えば被撮影者Ｐが座部３６ｂに座る場合、座席装置３５をその長手方向中心３５ａが床面１上の直線マークＬ１上にくるようにして、直線マークＬ１に沿って走行させる。次に座部３６ｂの位置決めマーク４１が基準マーク４０に合ったところで、座席装置３５を停止させる。
【００４６】
次に被撮影者Ｐは座部３６ｂに座り、モニタ１４に対して必要な操作を行い、課金設備３３にお金を投入する。このようにして所定のステップを経て、カメラ１２による撮影を行い、プリンタ１７により写真印刷物を得ることができる。
【００４７】
以上のように本実施の形態によれば、被撮影者Ｐの背丈に合わせて予め座るべき座部３６ａ、３６ｂ、３６ｃを選択しておく。次に床面１上でキャスタ３７を介して座席装置３５を走行させる。この場合、座席装置３５をその長手方向中心３５ａが直線マークＬ１上にくるようにしながら直線マークＬ１に沿って走行させ、床面１上の基準マーク４０に座部３６ａ、３６ｂ、３６ｃの位置決めマーク４１を合わせる。
【００４８】
このようにして被撮影者Ｐの背丈に合わせて座るべき座部３６ａ、３６ｂ、３６ｃを選択し、かつ座席装置３５を床面１上で走行させてカメラ１２に対して被撮影者Ｐを適切な位置に配置することができ、このことにより被撮影者Ｐの背丈にかかわらず適切かつ精度良く写真印刷物を作製することができる。
【００４９】
＜本発明の変形例＞
次に本発明の変形例について図５乃至図７により説明する。  
上記実施の形態において、座席装置３５が高さの異なる複数の座部３６ａ、３６ｂ、３６ｃを有し、これらの座部３６ａ、３６ｂ、３６ｃが開閉扉２１の中央部と後面部２２の中央部とを結ぶ直線マークＬ１の方向に並ぶ例を示したが、これに限らず座席装置３５が高さの異なる３つの座部３６ａ、３６ｂ、３６ｃを有するとともに、これらの座部３６ａ、３６ｂ、３６ｃが直線マークＬ１と直交する直線マークＬ２の方向に並んでいてもよい（図５乃至図７参照）。ここで座部３６ａ、３６ｂ、３６ｃの床面１からの高さは各々３０ｃｍ、４５ｃｍ、６０ｃｍとなっている。図５乃至図７において、座席装置３５以外の構成は、図１乃至図４に示す実施の形態と略同一である。
【００５０】
図５乃至図７に示すように、筐体２０の撮影空間２０Ａにおいて、床面１上に直線マークＬ１と直交する方向に直線マークＬ２が設けられている。座席装置３５はキャスタ３７を介して直線マークＬ２に沿って走行する。
【００５１】
また座席装置３５は、座部３６ａ、３６ｂ、３６ｃの背後に設けられ、座部３６ａ、３６ｂ、３６ｃに沿って直線マークＬ２の方向に延びる背もたれ３８を有する。
【００５２】
また床面１上には基準マーク４０に直交する基準マーク４０Ａが設けられ、座席装置３５の各座部３６ａ、３６ｂ、３６ｃの前面に、位置決めマーク４１が設けられている。
【００５３】
図５乃至図７において、被撮影者Ｐの背丈に合わせて予め座るべき座部３６ａ、３６ｂ、３６ｃを選択しておく。次に床面１上で座席装置３５をその長手方向中心３５ａが直線マークＬ２上にくるようにしながら、直線マークＬ２に沿って走行させ、床面１上の基準マーク４０Ａに座部３６ａ、３６ｂ、３６ｃの位置決めマーク４１を合わせる。このようにして、被撮影者Ｐは常にカメラ１２の正面に位置することになる。
【００５４】
次に図８および図９により本発明の他の変形例について説明する。  
図８および図９に示すように、座席装置３５は、キャスタ３７を介して床面１上を回転することができる。座席装置３５は円筒形状をもち、高さの異なる３つの座部３６ａ、３６ｂ、３６ｃを有する。この場合、座部３６ａ、３６ｂ、３６ｃの床面１からの高さは、各々３０ｃｍ、４５ｃｍ、６０ｃｍとなっている。図８および図９において座席装置３５以外の構成は、図１乃至図４に示す実施の形態と略同一である。
【００５５】
図８および図９に示すように、床面１上には基準マーク４０Ｂが設けられ、座席装置３５の各座部３６ａ、３６ｂ、３６ｃの側面に、位置決めマーク４１が設けられている。
【００５６】
図８および図９に示す座席装置３５において、上述のように座席装置３５は略円筒形状をもつ。
【００５７】
また座席装置３５の各座部３６ａ、３６ｂ、３６ｃは上方からみて中心角１２０°をもつ扇形状となっている。
【００５８】
あるいは、座席装置３５は、３つの中心角１２０°をもつ扇形状の座部３６ａ、３６ｂ、３６ｃではなく、上方からみて中心角９０°をもつ４つの扇形状の座部３６ａ、３６ｂ、３６ｃ、３６ｄを有するとともに、各座部３６ａ、３６ｂ、３６ｃ、３６ｄの床面からの高さが互いに異なっていてもよい（図１０参照）。図１０において、各座部３６ａ、３６ｂ、３６ｃ、３６ｄの床面１からの高さは、各々３０ｃｍ、４０ｃｍ、５０ｃｍ、６０ｃｍとなっている。
【００５９】
次に図１１により本発明の他の実施の形態について述べる。  
図１１に示すように座席装置３５は、床面１からの高さが互いに異なる３つの座部３６ａ、３６ｂ、３６ｃと、座部３６ｃの後方に隣接して設けられた背もたれ３８とを含む装置本体３５Ａと、装置本体３５Ａの後方に設けられ装置本体３５Ａを支持する支持体４５とを有する。
【００６０】
図１１において、座席装置３５の座部３６ａ、３６ｂ、３６ｃは、前方から後方に向かって床面１上に設けられた直線マークＬ１に沿って配置されている。また座席装置３５と装置本体３５Ａと支持体４５には、各々座席装置３５を床面１上で直線マークＬ１に沿って走行させるキャスタ３７が設けられている。
【００６１】
図１１において、座席装置３５以外の構成は図１乃至図４に示す実施の形態と略同一である。
【符号の説明】
【００６２】
１  床面
１１  制御部
１１ａ  画像合成部
１２  カメラ
１３  検知センサ
１４  モニタ
１６  記憶部
１７  プリンタ
２０  筐体
２０ａ  内壁
２１  開閉扉
２１Ａ  前面部
２１ａ  窓
２２  後面部
２３Ａ、２３Ｂ  側面部
２５  天井部
３１  Ｉ／Ｏユニット
３２  スピーカ
３３  課金設備
３５  座席装置
３６ａ、３６ｂ、３６ｃ  座部
３７  キャスタ
３８  背もたれ
４０  基準マーク
４０Ａ  基準マーク
４０Ｂ  基準マーク
４１  位置決めマーク
４５  支持体
Ｌ１  直線マーク
Ｌ２  直線マーク
【図１】
2019066693.tif 000003
【図２】
2019066693.tif 000004
【図３】
2019066693.tif 000005
【図４】
2019066693.tif 000006
【図５】
2019066693.tif 000007
【図６】
2019066693.tif 000008
【図７】
2019066693.tif 000009
【図８】
2019066693.tif 000010
【図９】
2019066693.tif 000011
【図１０】
2019066693.tif 000012
【図１１】
2019066693.tif 000013